(57)【特許請求の範囲】
【請求項１】
家屋等の床面に配置され、配管を支持する支持部を形成した台座部材と、該台座部材と上下に嵌合し配管を固定する固定部材とを備え、前記台座部材は同形のものを上下に複数重ねて装着することで、床面に沿って勾配をなすように配管の支持高さを調節可能としたことを特徴とする配管支持具。
【請求項２】
前記台座部材は上面に係合凸部を形成し、下面に該係合凸部に嵌合する形状の係合凹部を形成したことを特徴とする請求項１記載の配管支持具。
【請求項３】
前記台座部材には、複数の配管支持具を一定間隔に配置するための距離測定部材を備えたことを特徴とする請求項１記載の配管支持具。
【発明の詳細な説明】
【０００１】
【発明の属する技術分野】
本発明は、家屋に配設されている配管を、排水等を良好にするため一定の勾配をなすように支持，固定するための配管支持具に関する。
【０００２】
【従来の技術】
従来、家屋の床面に配設された給水，給湯又は排水等の配管を支持，固定する配管支持具において、配管の支持高さを調節できるものに図５のものがある。この図５について簡単に説明すると、配管４２は床面４１に配置された複数の配管支持具４３によって支持されており、該配管支持具４３は、支持台４４と、上下一対の支持板４８と、支持板４８を支持台４４に固定するナット５１とにより構成されている。該支持台４４は金属製の薄板により長板状に形成され、両側部には各支持板４８を取り付けるためのボルト４５がそれぞれ垂設されている。また、支持台４４は各ボルト４５の外側にねじ孔４６がそれぞれ穿設され、ねじ４７をねじ孔４６に螺合することにより、配管支持具４３は床面４１に固定されている。
【０００３】
上下一対の支持板４８はそれぞれ金属製の薄板よりなり、その中間部には略半円状をなす支持部４９が曲げ形成されるとともに、各支持板４８の両側部には前記ボルト４５と対応する位置に挿通孔５０が穿設され、両支持板４８は各ボルト４５に螺合された各一対のナット５１の間に支持されている。配管４２は両支持板４８の支持部４９に挿通されており、また、配管４２は一定の勾配をなすように、互いに隣接する配管支持具４３の支持部４９の床面からの高さを調節した後、両支持板４８の両側部が挟着されるようにナット５１を締め付けることにより、配管４２は配管支持具４３に支持されている。
【０００４】
上記において、排水等を良好にするために配管を一定の勾配で傾斜させるが、この作業は、メジャーや水平器を用いて、互いに隣接する配管支持具間の距離や配管の床面からの高さを正確に測定した後に、各配管支持具のナットの螺合位置を変更することで配管の支持高さを調節して、配管に一定の勾配を設けていたが、この作業に要する時間や労力は多大なものであった。
【０００５】
【発明が解決しようとする課題】
本発明が解決しようとする課題は、家屋に設置された配管支持具において、配管が一定の勾配をなすように支持高さを調節する作業を、短時間で容易且つ正確に行えるようにすることである。
【０００６】
【課題を解決するための手段】
本発明は請求項１では、家屋等の床面に配置され、配管を支持する支持部を形成した台座部材と、該台座部材と上下に嵌合し配管を固定する固定部材とを備え、前記台座部材は同形のものを上下に複数重ねて装着することで、床面に沿って勾配をなすように配管の支持高さを調節可能としたものである。
【０００７】
請求項２では、前記台座部材は上面に係合凸部を形成し、下面に該係合凸部に嵌合する形状の係合凹部を形成したものである。
【０００９】
請求項３では、前記台座部材には、隣接する配管支持具を一定間隔に配置するための距離測定部材を備えたものである。
【００１０】
【発明の実施の形態】
以下、本発明の実施の形態を図に基づいて詳細に説明する。
図１に示すように配管支持具Ａは、台座部材２と固定部材１０とから構成され、合成樹脂でそれぞれ一定の厚みのある板状に形成されており、家屋の床面１に所定間隔をおいて複数個配置されている。
【００１１】
前記台座部材２は床面１から上面部３までの高さがｈで、上面部３の略中央に配管１７の下半分を支持する略半円状の支持部４が形成されている。配管１７は支持部４に支持させた際、配管１７の中心線１７ａと上面部３とは同一線上となる。床面１から配管１７の中心線１７ａまでの高さ、即ち、配管の支持高さがｈである。前記支持部４の最下端部には段部９が形成されており、該段部９には上下に貫通して複数個のねじ孔５が設けられ、該ねじ孔５に上方からねじ６を螺着することで、台座部材２は床面１に固定される。該台座部材２上面の両側部には上方に突出した係合凸部７が、台座部材２下面の両側部には係合凸部７と上下に嵌合する形状の係合凹部８が、それぞれ支持部４と平行に形成されており、係合凸部７と係合凹部８により台座部材２の上方又は下方に同形の台座部材を重ねて装着することができるようになっている。
【００１２】
台座部材２の端部には所定長さ、例えば１メートルや２メートル等の長さＬで、紐状又は帯状等の距離測定部材１３が取り付けられている。該距離測定部材１３は隣接する位置に別の配管支持具Ａ′を配置する際に、該距離測定部材１３を一直線状に引張ることで、従来行っていたようにメジャー等で距離を測定しなくても、所定長さ毎に配管支持具Ａ′を設置することができる。また、該距離測定部材には、１／２，１／４等の位置に長さを知らせる目印を設けても良い。
【００１３】
前記固定部材１０は、下面側の略中央には配管１７の上半分を固定する略半円状の押さえ部１１が形成されている。また、下面両側部には台座部材２の係合凸部７と嵌合する形状の係合凹部１２が形成されており、固定部材１０を台座部材２に向けて上方から押し込むことで、容易に嵌合することができる。
【００１４】
この配管支持具Ａを床面１に配置するには、図１に示すように台座部材２の上方からねじ孔５にねじ６を螺合し、床面１に固定する。次に配管１７を台座部材２の支持部４に支持させ、固定部材１０を上方から台座部材２に押し込むことで、配管１７を配管支持具Ａに支持することができる。
【００１５】
図２に示すように、前記配管支持具Ａは床面１に複数個配置していくが、隣接する配管支持具Ａ′は、先程固定した配管支持具Ａの台座部材２に取り付けられている所定長さＬの距離測定部材１３を一直線状に引張り、その先端位置に別の配管支持具Ａ′を配置する。この時、台座部材２の上方又は下方に同形の台座部材２を重ね合わせて、床面１から配管１７の中心線１７ａまでの高さ、即ち、配管の支持高さｈ′＝ｈ＋ｈとなるようにする。
【００１６】
同様の作業を繰り返し、配管支持具Ａ′の所定長さＬ離れた位置に別の配管支持具Ａ″を配置し、床面１から配管１７の中心線１７ａまでの高さ、即ち、配管の支持高さｈ″＝ｈ′＋ｈとなるように台座部材２を重ね合わせ、互いに隣接する配管支持具Ａ，Ａ′，Ａ″，…間の勾配がｈ／Ｌとなるように配置する。この操作を繰り返していくことで、容易に配管支持具を所定の長さ毎に配置し、且つ配管に一定の勾配を設けることができる。
【００１７】
図３は配管支持具の別の実施例である。この実施例の配管支持具Ｂは合成樹脂により形成され、配管１７を支持する台座部材２ａは、該配管支持具Ｂをねじ６ａにより床面１に固定するための脚部１５を備えている。なお、台座部材２ａの端部には、先の実施例と同様の距離測定部材１３が取り付けられている。
【００１８】
前記台座部材２ａには配管１７を支持するための支持部４ａが形成され、該支持部４ａは台座部材２ａの両側部から上方に突出し、配管１７よりやや小径且つ略円弧状の弾性片１４で、上方から配管１７を両弾性片１４の間に押し込むと、弾性片１４が拡径して配管１７が挿入される。
【００１９】
脚部１５は台座部材２ａの両側部から下方に突出した板状で、配管支持具Ｂの上方から押圧すると、外側に向けて弾性変形するものである。また、脚部１５には端部から所定間隔Ｄごとに容易に折り曲げることができる折り目１６がそれぞれ形成され、各折り目１６の中間点にはねじ孔５ａが複数個形成され、外側に弾性変形した脚部１５のねじ孔５ａにねじ６ａを螺合することで、配管支持具Ｂを床面１に固定することができる。なお、図３に示すように脚部１５をある折り目で折り曲げ固定した状態で、床面１から配管１７の中心線までの高さ、即ち、配管の支持高さをＨとする。
【００２０】
この配管支持具Ｂを床面１に配置するには、配管の支持高さがＨとなるように脚部１５を折り目に沿って外側に折り曲げ、ねじ６ａを外側に折り曲げた脚部１５のねじ孔５ａに螺合し、床面１に固定する。次に配管１７を上方から支持部４ａに押し込むことで、配管１７を配管支持具Ｂに固定することができる。
【００２１】
図４に示すように、前記配管支持具Ｂは床面１に複数個配置していくが、隣接する配管支持具Ｂ′は、先程固定した配管支持具Ｂの台座部材２ａに取り付けられている所定長さＬの距離測定部材１３を一直線状に引張り、その先端位置に別の配管支持具Ｂ′を配置する。この時、脚部１５の折り目に沿って折り曲げ、床面１から配管１７の中心線１７ａまでの高さ、即ち、配管の支持高さＨ′＝Ｈ−Ｄとなるようにする。
【００２２】
同様の作業を繰り返し、配管支持具Ｂ′の所定長さＬ離れた位置に別の配管支持具Ｂ″を配置し、床面１から配管１７の中心線１７ａまでの高さ、即ち、配管の支持高さＨ″＝Ｈ′−Ｄとなるように脚部１５を折り目１６に沿って折り曲げ、互いに隣接する配管支持具Ｂ，Ｂ′，Ｂ″，…間の勾配がＤ／Ｌとなるように配置する。この操作を繰り返していくことで、容易に配管支持具を所定長さ毎に配置し、且つ配管に一定の勾配を設けることができる。
【００２３】
【発明の効果】
本発明は請求項１では、家屋等の床面に配置され、配管を支持する支持部を形成した台座部材と、該台座部材と上下に嵌合し配管を固定する固定部材とを備え、前記台座部材は同形のものを上下に複数重ねて装着することで、床面に沿って勾配をなすように配管の支持高さを調節可能としたので、床面に沿って勾配をなすように配管の支持高さを調節する作業を容易，正確，短時間で行うことができる。
【００２４】
請求項２では、前記台座部材は上面に係合凸部を形成し、下面に該係合凸部に嵌合する形状の係合凹部を形成したので、配管の支持高さを容易に調節することができる。
【００２６】
請求項３では、前記台座部材には、複数の配管支持具を一定間隔に配置するための距離測定部材を備えているので、配管支持具間の距離を測定する手間を省くことができる。
【図面の簡単な説明】
【図１】本発明の配管支持具の説明図である。
【図２】配管の傾斜状態を示す説明図である。
【図３】本発明の別の実施例を示す説明図である。
【図４】配管の傾斜状態を示す説明図である。
【図５】従来技術の説明図である。
【符号の説明】
２                      台座部材
４                      支持部
７                      係合凸部
８                      係合凹部
１０                    固定部材
１１                    押さえ部
１３                    距離測定部材
１７                    配管
Ａ，Ａ′，Ａ″          配管支持具
ｈ，ｈ′，ｈ″          配管の支持高さ
【図１】
0004657481.tif 000002
【図２】
0004657481.tif 000003
【図３】
0004657481.tif 000004
【図４】
0004657481.tif 000005
【図５】
0004657481.tif 000006